(57)【要約】【課題】歯列画像を撮影する口の大きさに応じてサイズ変更できる歯列画像読取装置を提供する。【解決手段】口腔内に挿入される口腔内挿入部２と、撮像光学部３とを備え、口腔内挿入部２は、片側に光透過部２２を有しかつ内部に空洞部２１を備え、撮像光学部３は、歯列に光を照射する光源４１および歯列からの反射光を反射する反射ミラー４４と、光源４１および反射ミラー４４を口腔内挿入部２の奥行き方向に沿って移動させる走査手段６と、反射ミラー４４からの光を受光する撮像光学系５３と、走査手段６および撮像光学系５３を収納する本体ケース７とを備える歯列画像読取装置１において、光源４１および反射ミラー４４は走査手段６に着脱可能で、かつ、２以上の異なるサイズが交換可能に用意され、口腔内挿入部２は、本体ケース７に着脱可能であり、かつ、２以上の異なるサイズが交換可能に用意されてる。【選択図】　図１
2004033465.tif 000002
【特許請求の範囲】
【請求項１】
上顎歯列および下顎歯列をもつ口腔内に挿入される口腔内挿入部と、撮像光学部とを備え、
前記口腔内挿入部は、表裏側のうちの少なくとも片側に光透過部を有し、かつ、内部に空洞部を備え、
前記撮像光学部は、前記口腔内挿入部の空洞部内に挿入され前記光透過部を透過して歯列に光を照射する光源および歯列からの反射光を口腔内挿入部の外部へ反射する反射ミラーと、この光源および反射ミラーを前記口腔内挿入部の空洞部内奥行き方向に沿って移動させる走査手段と、前記反射ミラーからの光を受光する撮像光学系と、前記走査手段および前記撮像光学系を収納する本体ケースとを備える歯列画像読取装置において、
前記光源および前記反射ミラーは前記走査手段に着脱可能であり、かつ、少なくとも２以上の異なるサイズが交換可能に用意され、
前記口腔内挿入部は、前記本体ケースに着脱可能であり、かつ、前記光源および前記反射ミラーのサイズに応じて少なくとも２以上の異なるサイズが交換可能に用意されていることを特徴とする歯列画像読取装置。
【請求項２】
請求項１記載の歯列画像読取装置において、
前記本体ケースおよび前記口腔内挿入部のいずれか一方は、前記本体ケースおよび前記口腔内挿入部のいずれか他方が取り付けられる位置を案内する取付案内手段を備えていることを特徴とする歯列画像読取装置。
【請求項３】
請求項１または２に記載の歯列画像読取装置において、
前記光源および前記反射ミラーは一体的にユニット形成されていることを特徴とする歯列画像読取装置。
【請求項４】
請求項３に記載の歯列画像読取装置において、
前記光源および前記反射ミラーのユニットと前記走査手段のいずれか一方は、前記光源および前記反射ミラーのユニットと前記走査手段のいずれか他方が取り付けられる位置を案内する取付案内手段を備えていることを特徴とする歯列画像読取装置。
【請求項５】
請求項１〜４のいずれかに記載の歯列画像読取装置において、
前記口腔内挿入部に対して着脱可能で前記口腔内挿入部の外表面を覆う光透過性の保護カバーが設けられ、
前記保護カバーは、前記口腔内挿入部のサイズに応じて、少なくとも２以上の異なるサイズが交換可能に用意されていることを特徴とする歯列画像読取装置。
【発明の詳細な説明】
【０００１】
【発明の属する技術分野】
本発明は歯列画像読取装置に関する。詳しくは、上顎歯列および下顎歯列を口腔内から直接撮影するもので、特に、歯列全体の画像を撮影する歯列画像読取装置に関する。
【０００２】
【背景技術】
上顎歯列および下顎歯列を口腔内から直接撮影する装置として、特開２００２−１２５９２７号に開示された歯列画像読取装置がある。
この歯列画像読取装置１は、図８の外観図および図９の分解斜視図に示されるように、上顎歯列および下顎歯列をもつ口腔内に挿入される口腔内挿入部２と、撮像光学部３とを備え、口腔内挿入部２は、表裏側のうちの少なくとも片側に光透過部２２を有し、かつ、内部に空洞部を備え、撮像光学部３は、口腔内挿入部２の空洞部内に挿入され光透過部２２を透過して歯列に光を照射する光源４１および歯列からの光を口腔内挿入部２の外部へ反射する反射ミラー４４と、この光源４１および反射ミラー４４を口腔内挿入部２の空洞部内奥行き方向に沿って移動させる走査手段６と、反射ミラー４４によって反射された光を受光する撮像光学系５とを備えるものである。
【０００３】
このような構成によれば、口腔内挿入部２を口腔内に挿入したのち、走査手段６によって光源４１および反射ミラー４４を口腔内挿入部２の空洞部内の所定位置に位置させると、この位置において、光源４１からの光は、光透過部２２を透過して歯列に達し、その歯列によって反射されたのち、反射ミラー４４を介して撮像光学系５に達する。つまり、光源４１および反射ミラー４４が位置する列の歯列画像データが取り込まれる。次に、走査手段６によって光源４１および反射ミラー４４を所定距離移動後に停止させると、この位置での歯列画像データが取り込まれる。このようにして、光源４１および反射ミラー４４を所定距離ずつ移動させながら、その各位置での歯列画像データを取り込んでいき、最後に、これらのデータを合成することにより、歯列全体の画像を読み取ることができる。
【０００４】
【発明が解決しようとする課題】
しかしながら、医療現場において撮像対象となる患者の口腔の大きさは、年齢、性別などにより大きく異なる。その結果、口腔内挿入部２のサイズが患者の口腔サイズに適合しないという問題が生じる。
口腔内挿入部２のサイズが患者の口腔に比べて大きい場合には、口腔内挿入部２を口腔に挿入することができないか、または、無理に押込むと患者にとって苦痛であるという問題が生じる。
一方、口腔内挿入部２のサイズが患者の口腔に比べて小さすぎる場合には、口腔内の歯列全体を撮像することができないという問題が生じる。
【０００５】
ここで、患者の口腔に応じて、異なるサイズの歯列画像読取装置１を複数用意することが考えられる。しかし、異なるサイズの歯列画像読取装置１を複数用意すると、コストがかかり過ぎる上に、保管場所も必要になるという問題が生じる。
一方、口腔内挿入部２を異なるサイズに交換することも考えられる。しかしながら、医療の現場で医師や看護婦が光学機器の部品を交換するためには、相当の技術的素養が要求されるという問題が生じる。さらに、光学機器の部品交換は複雑な作業で時間もかかるので、患者が代わる都度時間をかけて部品を交換することは、実際の医療現場では難しいという問題が生じる。
【０００６】
本発明の第１の目的は、従来の問題を解消し、歯列画像を撮影する口の大きさに応じてサイズ変更できる歯列画像読取装置を提供することであり、本発明の第２の目的は、使用者が簡便にサイズ変更できる歯列画像読取装置を提供することにある。
【０００７】
【課題を解決するための手段】
請求項１に記載の歯列画像読取装置は、上顎歯列および下顎歯列をもつ口腔内に挿入される口腔内挿入部と、撮像光学部とを備え、前記口腔内挿入部は、表裏側のうちの少なくとも片側に光透過部を有し、かつ、内部に空洞部を備え、前記撮像光学部は、前記口腔内挿入部の空洞部内に挿入され前記光透過部を透過して歯列に光を照射する光源および歯列からの反射光を口腔内挿入部の外部へ反射する反射ミラーと、この光源および反射ミラーを前記口腔内挿入部の空洞部内奥行き方向に沿って移動させる走査手段と、前記反射ミラーからの光を受光する撮像光学系と、前記走査手段および前記撮像光学系を収納する本体ケースとを備える歯列画像読取装置において、前記光源および前記反射ミラーは前記走査手段に着脱可能であり、かつ、少なくとも２以上の異なるサイズが交換可能に用意され、前記口腔内挿入部は、前記本体ケースに着脱可能であり、かつ、前記光源および前記反射ミラーのサイズに応じて少なくとも２以上の異なるサイズが交換可能に用意されていることを特徴とする。
【０００８】
このような構成によれば、歯列画像をとる口の大きさに合わせて口の中に挿入される光源、反射ミラーおよび口腔内挿入部の大きさを異なるサイズに交換することができる。例えば、歯科医療の現場においては、子供、大人、男女など広範囲にわたる患者の歯列画像を撮影しなければならない。
小さな口に対して、小さいサイズの光源、反射ミラーおよび口腔内挿入部に交換すれば、小さな口に大きい口腔内挿入部等を無理やり押込んで苦痛を与える心配はない。大きな口に対しては、大きいサイズの光源、反射ミラーおよび口腔内挿入部に交換すれば、大きな口の歯列画像も撮像することができる。
口の中に挿入される部分のみを交換することによって歯列画像読取装置のサイズ変更が可能であるので、異なるサイズの歯列画像読取装置一式を複数用意する場合に比べて、コストもかからず、保管場所も取らない。
【０００９】
また、口腔内挿入部を本体ケースから取り外すことができれば、口腔内挿入部を洗浄消毒する場合でも、本体ケース内の撮像光学部や走査手段に損傷をきたす心配をすることなく衛生的に十分な洗浄消毒を施すことができる。さらに、口腔内挿入部を本体ケースから取り外した際に、口腔内挿入部の光透過部を洗浄することによって、光透過性を良好に維持することができる。すると、歯列画像を鮮明にとることができる。
反射ミラーを走査手段から取り外すことができることにより、反射ミラーを洗浄することができる。すると、反射ミラーの光反射性を良好に維持することができ、鮮明な歯列画像をとることができる。
【００１０】
請求項２に記載の歯列画像読取装置は、請求項１記載の歯列画像読取装置において、前記本体ケースおよび前記口腔内挿入部のいずれか一方は、前記本体ケースおよび前記口腔内挿入部のいずれか他方が取り付けられる位置を案内する取付案内手段を備えていることを特徴とする。
【００１１】
このような構成によれば、本体ケースと口腔内挿入部とを取り付ける際に、取付案内手段により、取付位置を容易に定位置にすることができる。よって、実際に歯列画像読取装置を使用する現場において、医師や看護婦など光学機器の取り扱い知識に不安がある使用者でも、容易に口腔内挿入部の交換が可能である。取付案内手段により取付位置を定位置にできるので、歯列画像の取り込み精度も一定に維持することができる。
【００１２】
請求項３に記載の歯列画像読取装置は、請求項１または２に記載の歯列画像読取装置において、前記光源および前記反射ミラーは一体的にユニット形成されていることを特徴とする。
【００１３】
このような構成によれば、走査手段に対して光源および反射ミラーを交換する場合、光源と反射ミラーのユニットを交換するだけでよいので簡便であり、交換に時間もかからない。ユニット化により部品点数が減るので、交換部品の管理なども簡便であり、紛失の恐れもそれだけ低減される。
光源や反射ミラーの交換時に医師や看護婦が光学機器の反射ミラー角度などを調整して光軸合わせを行うことは難しい。しかし本発明によれば、反射ミラーが光源に対してユニット化されているので、交換時に反射ミラーの角度調整など行う必要がない。
【００１４】
請求項４に記載の歯列画像読取装置は、請求項３に記載の歯列画像読取装置において、前記光源および前記反射ミラーのユニットと前記走査手段のいずれか一方は、前記光源および前記反射ミラーのユニットと前記走査手段のいずれか他方が取り付けられる位置を案内する取付案内手段を備えていることを特徴とする。
【００１５】
このような構成によれば、走査手段と光源および反射ミラーのユニットとを取り付ける際に、取付案内手段により、取付位置を容易に定位置にすることができる。よって、実際に歯列画像読取装置を使用する現場において、医師や看護婦など光学機器の取り扱い知識に不安がある使用者でも、容易に光源および反射ミラーの交換が可能である。取付案内手段により取付位置を定位置にできるので、歯列画像の取り込み精度も一定に維持することができる。
【００１６】
請求項５に記載の歯列画像読取装置は、請求項１〜４のいずれかに記載の歯列画像読取装置において、前記口腔内挿入部に対して着脱可能で前記口腔内挿入部の外表面を覆う光透過性の保護カバーが設けられ、前記保護カバーは、前記口腔内挿入部のサイズに応じて、少なくとも２以上の異なるサイズが交換可能に用意されていることを特徴とする。
【００１７】
このような構成によれば、口腔内挿入部のサイズに応じて、保護カバーのサイズを交換することができる。
口腔内挿入部は不特定多数のものが口に入れるものであるので、衛生的には万全を尽くす必要がある。このためには、口腔内挿入部を覆う使い捨ての保護カバーが設けられることが望ましい。口腔内挿入部のサイズ変更にあわせてこの保護カバーのサイズも種々用意しておけば、サイズ変更可能で、かつ、衛生的な歯列画像読取装置とすることができる。
【００１８】
【発明の実施の形態】
以下、本発明の実施の形態を図示例と共に説明する。
（第１実施形態）
図１に本発明の歯列画像読取装置の第１実施形態を示す。
この歯列画像読取装置の基本的構成は背景技術で説明したものと基本的には同様であるが、本実施形態の特徴とするところは、口に挿入される部分のサイズを変更できる点にある。
【００１９】
この歯列画像読取装置１は、図１に示されるように、上顎歯列および下顎歯列をもつ口腔内に挿入される口腔内挿入部２と、撮像光学部３とを備えて構成される。
口腔内挿入部２は、一端側が開口された空洞部２１を有し、表裏側のうち片側に光透過部２２が設けられている。図１に示されるように、口腔内挿入部２は、撮像光学部３に対して着脱可能であり、口腔内挿入部２の一端側には、嵌合用の受け穴を形成する嵌合外環２３が設けられている。この嵌合外環２３には、止めねじ２５によって係り止めされるスリット２４が設けられている。図２に示されるように、スリット２４は一端側から他端側に向かって嵌合外環２３に形成された切り込みである。
口腔内挿入部２には、口腔内挿入部２を覆う光透過性の保護カバー２６が設けられる。
図２に示されるように、口腔内挿入部２は、大、中、小の三つのサイズが用意されている。保護カバー２６も、この口腔内挿入部２のサイズに合わせて大、中、小のサイズが用意されている。本実施形態では、口腔内挿入部２は、口腔内奥行きとは直角方向の長さが、７０ｍｍ、６０ｍｍ、５０ｍｍの３サイズが用意されている。
【００２０】
撮像光学部３は、口腔内挿入部２の空洞部２１内に挿入され光透過部２２を透過して歯列に光を照射する光源４１と、歯列からの光を口腔内挿入部２の外部へ反射する反射ミラー４４と、反射ミラー４４からの光を受光する撮像光学系５と、この光源４１、反射ミラー４４、撮像光学系５を口腔内挿入部２の空洞部２１の内部奥行き方向に沿って移動させる走査手段６と、撮像光学系５および走査手段６を収納する本体ケース７とを備えて構成されている。
【００２１】
光源４１としては発光素子が利用される。発光素子は、光源載置用基板４２の上に口腔内奥行き方向と直角に多数配列される（図２、図３参照）。光源４１とともに光源載置用基板４２の表面には電極４３（銅薄）が設けられている。反射ミラー４４は、光源４１から発射されて歯列から反射されてきた光を口腔内挿入部２から撮像光学系５に向かって反射するものであり、口腔内奥行き方向に対して直角方向に長さを有する形状である。図３に示されるように、光源載置用基板４２と反射ミラー４４は光源ユニットベース４５の上に配置されて光源ユニット４が形成されている。
この光源ユニット４は、図４に示されるように、走査手段６に対して着脱可能に設けられ、光源ユニットベース４５の一端側には嵌合用の嵌合突部４６が形成されている。
光源ユニット４は、図２に示されるように、口腔内挿入部２の大きさにあわせて大、中、小の三つのサイズが用意されている。
【００２２】
撮像光学系５は、反射ミラー４４からの光を受光するカラーＣＣＤ５３を備えて構成されている。カラーＣＣＤ５３で受光されたイメージは、ケーブル５１を通して伝送され、コネクタケーブル５２により外部の画像処理装置に出力される。
【００２３】
走査手段６は、光源ユニット４が取り付けられ、カラーＣＣＤ５３が載置される走査ベース６１と、この走査ベース６１を移動させるモータ６４と、モータ６４の動力で走査ベース６１を口腔内の奥行き方向へスライドさせる動力伝達機構とを備えて構成されている。
走査ベース６１の一端側にはカラーＣＣＤ５３が載置され、他端側には光源ユニット４を取り付ける光源ユニット保持手段６２が設けられている。
【００２４】
図３に示されるように、光源ユニット保持手段６２は、光源ユニット４を表裏から走査ベース６１と対になって挟持するとともに光源４１に電力を供給する電極板ばね６３１と、走査ベース６１の上に配置され電極板ばね６３１が取り付けられる板ばね取付部材６３と、板ばね取付部材６３の他端側に形成され光源ユニットベース４５の嵌合突部４６を挟持する一対の挟持片６３２とから構成される（図４参照）。
図４に示されるように、挟持片６３２は、板ばね取付部材６３の他端側を切り欠いて形成されたものであり、嵌合突部４６が嵌入される嵌合凹部を形成する切欠き６３３と、嵌合凹部の両脇の切欠き６３４により形成されている。これにより挟持片６３２は弾性を有し、挟持片６３２の間に嵌合突部４６が着脱される際には、挟持片６３２の間が弾性的に開閉する構成である。
【００２５】
走査ベース６１に光源ユニット４が取付られたときには、電極板ばね６３１が光源載置用基板４２の電極４３と接合するとともに、走査ベース６１と電極板ばね６３１が光源ユニットベース４５の一端側を挟み込んで保持する。さらに、板ばね取付部材６３の挟持片６３２の間に光源ユニットベース４５の嵌合突部４６が嵌入されて、挟持片６３２が嵌合突部４６を挟持する。
ここに、光源ユニット保持手段６２と光源ユニットベース４５の嵌合突部４６により、走査手段６と光源ユニット４との取付案内手段が構成されている。
【００２６】
モータ６４は、走査ベース６１の一端側後方に設けられ、例えば、ステッピングモータなどが使用される。動力伝達機構は、モータ６４の回転子と一体回転する一端側プーリ６５と、一端側プーリ６５と対を成す他端側プーリ６６と、このプーリ６５、６６に渡設されたベルト６７とを備えて構成される。走査ベース６１とベルト６７とが締結６８されている。
【００２７】
本体ケース７は、他端側に開口した収納空間７１を内部に有する。この収納空間７１は、走査ベース６１が一端から他端へ走査移動するのに十分なスペースである。
本体ケース７の他端側開口部には、口腔内挿入部２の嵌合外環２３に嵌入される嵌合内環７２が設けられている。この嵌合内環７２には、嵌合外環２３のスリット２４を通って止めねじ２５が螺合される内環雌ねじ７３が設けられている。ここに、口腔内挿入部２の嵌合外環２３およびスリット２４と、本体ケース７の嵌合内環７２および内環雌ねじ７３により、口腔内挿入部２と本体ケースとの取付案内手段が構成される。
【００２８】
このような構成からなる歯列画像読取装置１の使用について説明する。
まず、歯列画像を撮影する対象者の口の大きさに応じて光源ユニット４、口腔内挿入部２、保護カバー２６のサイズを選択する。
走査ベース６１に光源ユニット４を取り付ける。この際、走査ベース６１を本体ケース７の一端側（ホームポジション）にセットする。走査ベース６１に光源ユニット４を取り付ける際には、光源ユニット４の嵌合突部４６を挟持片６３２の間に嵌入する。光源ユニット４を電極板ばね６３１と走査ベース６１とで挟持し、電極板ばね６３１が光源ユニット４の電極４３に接合されていることを確認する。
【００２９】
次に、本体ケース７に口腔内挿入部２を取り付ける。この際、口腔内挿入部２の嵌合外環２３に本体ケース７の嵌合内環７２を嵌入させる。嵌合外環２３のスリット２４を通して止めねじ２５を内環雌ねじ７３に螺入し、止めねじ２５を締め付けることで本体ケース７と口腔内挿入部２とを締結する。この際、スリット２４の根元に止めねじ２５が当たるようにすれば、口腔内挿入部２の取付位置が一義的に決まる。
最後に、保護カバー２６を口腔内挿入部２にかぶせる。
【００３０】
歯列画像を撮影する口の中に口腔内挿入部２を挿入して、走査ベース６１を口腔内奥行き方向へ移動させる。すると、光源４１からの光が歯列に反射され、この反射光が反射ミラー４４によりカラーＣＣＤ５３に反射される。カラーＣＣＤ５３からのイメージがコネクタケーブル５２を通じて外部の画像処理装置に送られ、歯列画像が生成される。
【００３１】
歯列画像を撮影する対象者がかわって、口の大きさが異なったときには、別のサイズの口腔内挿入部２、光源ユニット４、保護カバー２６に付け替える。
走査ベース６１をホームポジションにセットして、保護カバー２６を外す。止めねじ２５を外して、口腔内挿入部２を外し、最後に光源ユニット４を外す。後は、前述の要領に従って別のサイズの口腔内挿入部２、光源ユニット４、保護カバー２６につけ替えればよい。
【００３２】
以上このような構成からなる歯列画像読取装置１によれば、次の効果を奏することができる。
（１）子供、大人、男女などの異なる口の大きさに応じて、口腔内挿入部２、光源ユニット４、保護カバー２６のサイズを変えることができる。よって、口の大きさに対して最適な口腔内挿入部２等のサイズを選択することができる。その結果、口腔内挿入部２を口に挿入する際に、小さな口に無理やり大きな口腔内挿入部２を押込むことがない。また、歯列のサイズに合わせた光源ユニット４を使用することにより、歯列全体を最適な条件で撮影することができる。
【００３３】
（２）口腔内挿入部２を本体ケース７から取り外すことができるので、口腔内挿入部２を洗浄する際に、本体ケース７の内部のカラーＣＣＤ５３など光学機器を破損する心配がない。従って、口腔内挿入部２を衛生上十分に洗浄消毒することができる。必要によっては、口腔内挿入部２を洗浄液に漬けておくことも可能であり、また、煮沸することもできる。この際、光透過部２２も洗浄されることから、光透過部２２の光透過性を維持することができ、鮮明な画像撮影を行うことができる。
【００３４】
（３）本体ケース７の側には嵌合内環７２および内環雌ねじ７３が設けられ、口腔内挿入部２には嵌合外環２３およびスリット２４が設けられている。よって、本体ケース７と口腔内挿入部２を取り付ける際に、取付位置が一義的に決定され、取付誤差による画像撮影の失敗が起こらない。取付は、止めねじ２５によるので、簡便であり、例えば、医師や看護婦でも容易に素早く着脱交換することができる。
【００３５】
（４）光源４１と反射ミラー４４が光源ユニット４として一体化され、反射ミラー４４が光源ユニットベース４５に固定されている。よって、光源４１および反射ミラー４４を交換する際には、光源ユニット４を交換すればよい。ユニット化されることにより、交換時の部品点数を削減することができる。反射ミラー４４が固定されているので、光源ユニット４の交換時に反射ミラー４４の角度調整など光軸調整を行う必要がない。
電極４３も光源載置用基板４２に形成されており、走査ベース６１に光源ユニット４に取り付けたときに、電極板ばね６３１と電極４３が導通される。よって、電極４３を繋ぐ手間が省かれて簡便である。
また、光源４１の発光出力が小さくなってきた場合には、この光源ユニット４のみを補充すればよい。
【００３６】
（５）走査ベース６１には、光源ユニット保持手段６２が設けられ、光源ユニット４には嵌合突部４６が設けられているので、走査ベース６１に光源ユニット４を取り付ける際の取付位置が一義的に決定される。従って、光源ユニット４の交換時の取付誤差による撮影の失敗がない。
（６）口腔内挿入部２、光源ユニット４を交換すれば、異なるサイズの口の大きさに対応できるので、異なるサイズの歯列画像読取装置一式を複数用意する場合に比べて、コストがかからず、また、保管場所もとらない。
（７）異なる口腔内挿入部２のサイズにあわせて、異なるサイズの保護カバー２６が設けられているので、保護カバー２６も交換することができ、衛生的である。
【００３７】
（変形例１）
本発明の歯列画像読取装置の変形例１について説明する。
図５は、歯列の外側面を撮影する歯列画像読取装置である。変形例１の基本的な構成は第１実施形態と同様であるが、口腔内挿入部の形状が異なっている。
この口腔内挿入部２０は、上顎歯列と下顎歯列とを噛み合わせた状態で、歯列外側面と頬の内側との間に挿入されるものである。
口腔内挿入部２０の先端（撮像光学部３と反対側）が幅狭に形成されて、先端が奥歯にまで届きやすい形状である。
口腔内挿入部２０の歯列外側面と対向する面には、光透過部２２が設けられている。口腔内挿入部２０の内部には空洞部があり、光源ユニット４が空洞部内を走査手段６によって走査される。口腔内挿入部２０の撮像光学部３の側には、取付案内手段として嵌合外環２３およびスリット２４が設けられ、本体ケース７の嵌合内環（不図示）に対して止めねじ２５で取り付けられる。
【００３８】
図６に、歯列外側面を撮影する様子の一例を示す。口腔内挿入部２０を歯列外側面の一部に当接させて、その位置で走査手段６により光源ユニット４を走査する。これにより、口腔内挿入部２０が当接している部分の歯列外側の画像を撮影することができる。次に、口腔内挿入部２０の位置を変えて、その位置で歯列外側の画像を撮影する。歯列外側面のすべてについて画像を撮影したところで、それぞれの位置の歯列画像を繋ぎ合わせて歯列外側の画像を得ることができる。
【００３９】
図７に示すように、この歯列外側を撮影する口腔内挿入部２０についても、異なるサイズのものが用意される。図７には、大、中、小の三つのサイズを示す。なお、図には示さないが、第１実施形態と同様に光源ユニット４および保護カバー２６も口腔内挿入部２０と同様に大、中、小の異なるサイズのものが用意される。
これらの口腔内挿入部２０、光源ユニット４および保護カバー２６を第１実施形態のように、撮影する口腔内の大きさにあわせて交換する。なお、撮像光学部３は、第１実施形態と共通のものである。
【００４０】
このような構成からなる変形例１によっても、第１実施形態の効果（１）から（７）と同様の効果を奏することができる。
【００４１】
なお、本発明の歯列画像読取装置１は、上記実施形態にのみ限定されるものではなく、本発明の要旨を逸脱しない範囲内において種々変更を加え得ることは勿論である。
口腔内挿入部２、２０、光源ユニット４、保護カバー２６のサイズは、３つではなく、様々なサイズを用意してもよいことはもちろんである。この際、単に、大きさだけではなく、変形例１のように、撮影する歯列の対象位置などに応じて口腔内挿入部２や光源ユニット４の形状を変えるようにしてもよい。
【００４２】
口腔内挿入部２、２０および光源ユニット４を交換した場合、カラーＣＣＤ５３で撮像された像の画像処理時に口腔内挿入部２、２０および光源ユニット４のサイズに応じた画像処理を行ってもよい。例えば、サイズが小さい光源ユニット４を使用した場合には、カラーＣＣＤ５３の両端には光があたらないので画像が存在しない。そこで、光源ユニット４のサイズに応じて、両端を画像として表示させないようにすればよい。
【００４３】
本体ケース７と口腔内挿入部２、２０の取付案内手段や、走査ベース６１と光源ユニット４の取付案内手段の構成は、上記実施形態に限定されるものではない。
例えば、口腔内挿入部２、２０の一端側を本体ケース７の他端側に嵌入して取り付ける構成としてもよい。走査ベース６１の側に嵌合突部を形成し、光源ユニット４の側に嵌合切欠部を形成してもよい。
【００４４】
【発明の効果】
以上、説明したように本発明の歯列画像読取装置によれば、歯列画像を撮影する口の大きさに応じて簡便にサイズ変更できるという効果を奏することができる。
【図面の簡単な説明】
【図１】本発明の歯列画像読取装置の一実施形態を示す図である。
【図２】前記実施形態において、交換できる口腔内挿入部、光源ユニットおよび保護カバーのサイズのバリエーションを示す図である。
【図３】前記実施形態において、走査ベースに光源ユニットを取り付けたときの側面図である。
【図４】前記実施形態において、光源ユニットと光源ユニット保持手段の拡大図である。
【図５】本発明の歯列画像読取装置の変形例１を示す図である。
【図６】前記変形例１を用いて歯列外側面の歯列画像を撮影する様子を示す図である。
【図７】前記変形例１において、交換できる口腔内挿入部のバリエーションを示す図である。
【図８】従来の歯列画像読取装置の外観図である。
【図９】従来の歯列画像読取装置の構成を示す図である。
【符号の説明】
１　　　歯列画像読取装置
２、２０　　　口腔内挿入部
３　　　撮像光学部
４　　　光源ユニット
５　　　撮像光学系
６　　　走査手段
７　　　本体ケース
２１　　　空洞部
２２　　　光透過部
２３　　　嵌合外環（本体ケースと口腔内挿入部の取付案内手段）
２４　　　スリット（本体ケースと口腔内挿入部の取付案内手段）
２６　　　保護カバー
４１　　　光源
４３　　　電極
４４　　　反射ミラー
４６　　　嵌合突部（光源ユニットと走査手段の取付案内手段）
６２　　　光源ユニット保持手段（光源ユニットと走査手段の取付案内手段）
６３　　　板ばね取付部材
７１　　　収納空間
７２　　　嵌合内環
７３　　　内環雌ねじ
６３１　　　電極板ばね
６３２　　　挟持片
【図１】
2004033465.tif 000003
【図２】
2004033465.tif 000004
【図３】
2004033465.tif 000005
【図４】
2004033465.tif 000006
【図５】
2004033465.tif 000007
【図６】
2004033465.tif 000008
【図７】
2004033465.tif 000009
【図８】
2004033465.tif 000010
【図９】
2004033465.tif 000011